(57)【要約】  ＲＦＩＤデバイス１０２、１４０は、アンテナ１０８と、パッシブ型ＲＦＩＤ通信モジュール１１０と、パッシブ型バイオメトリック認証モジュール１２０とを備えている。パッシブ型ＲＦＩＤ通信モジュール１１０は暗号化を用いることなくデータをＲＦＩＤ読取装置１０４へ送信するように構成されている。しかしながら、ＲＦＩＤデバイス１０２、１４０は、バイオメトリック認証モジュール１２０によりまずユーザの本人確認がなされるまで電力をパッシブ型バイオメトリック認証モジュール１２０のみに供給し、次いで、通信を許可するためにパッシブ型ＲＦＩＤ通信モジュール１１０に電力を供給するように構成されている。このようにすることにより、ＲＦＩＤデバイス１０２、１４０は従来の暗号化されていないＲＦＩＤタグと比べてスニッファを用いた攻撃に対して強くなる。というのは、ＲＦＩＤデバイス１０２、１４０は認可されたバイオメトリック識別子が提示されるまでデータを安全に保持するようになっているからである。【選択図】図２
2018529155.tif 000002
【特許請求の範囲】
【請求項１】
ＲＦＩＤデバイスであって、
アンテナと、
暗号化を用いることなくアンテナを通じてデータをＲＦＩＤ読取装置へ送信するように構成されるパッシブ型ＲＦＩＤ通信モジュールと、
前記ＲＦＩＤデバイスのユーザを識別するように構成されるパッシブ型バイオメトリック認証モジュールとを備え、
前記アンテナを用いて抽出された電力により前記パッシブ型ＲＦＩＤ通信モジュールおよび前記パッシブ型バイオメトリック認証モジュールに電力を供給するように前記ＲＦＩＤデバイスが構成され、
前記パッシブ型バイオメトリック認証モジュールが前記ユーザの識別情報を検証するまで前記アンテナから十分な電力が前記パッシブ型ＲＦＩＤ通信モジュールに到達するのを妨げることにより前記パッシブ型ＲＦＩＤ通信モジュールを動作不能にするように前記ＲＦＩＤデバイスが構成されてなる、ＲＦＩＤデバイス。
【請求項２】
前記データが前記ＲＦＩＤデバイスまたは前記ＲＦＩＤデバイスのユーザに付随する識別子を含んでなる、請求項１に記載のＲＦＩＤデバイス。
【請求項３】
前記ＲＦＩＤデバイスが、アクセス制限領域にアクセスするＲＦＩＤアクセスデバイスである、請求項１または２に記載のＲＦＩＤデバイス。
【請求項４】
前記パッシブ型バイオメトリック認証モジュールがパッシブ型指紋認証モジュールである、請求項１乃至３のいずれか一項に記載のＲＦＩＤデバイス。
【請求項５】
前記アンテナと前記パッシブ型ＲＦＩＤ通信モジュールとの間にあるスイッチの駆動により前記パッシブ型ＲＦＩＤ通信モジュールを動作可能または動作不可にするように構成されてなる、請求項１乃至４のうちのいずれか一項に記載のＲＦＩＤデバイス。
【請求項６】
前記パッシブ型ＲＦＩＤ通信モジュールが、十分な電力を受け取ると前記データを自動的に送信するように構成されてなる、請求項１乃至５のうちのいずれか一項に記載のＲＦＩＤデバイス。
【請求項７】
アンテナ、パッシブ型ＲＦＩＤ通信モジュールおよびパッシブ型バイオメトリック認証モジュールを備えるＲＦＩＤデバイスを使用する方法であって、
前記ＲＦＩＤデバイスにバイオメトリック識別子を提示することと、
前記アンテナにより抽出された電力を用いて前記パッシブ型バイオメトリック認証モジュールに電力を供給することと、
前記バイオメトリック認証モジュールにより前記バイオメトリック識別子を確認することと、
前記バイオメトリック識別子の確認がなされると、前記アンテナからの電力を前記パッシブ型ＲＦＩＤ通信モジュールに提供することにより前記パッシブ型ＲＦＩＤ通信モジュールの機能を有効にすることと、
機能が有効にされた前記パッシブ型ＲＦＩＤ通信モジュールにより未暗号化状態のデータを前記ＲＦＩＤデバイスから前記ＲＦＩＤ読取装置へと伝達することとを含み、
前記バイオメトリック認証モジュールにより前記バイオメトリック識別子の確認がなされるまで前記ＲＦＩＤ通信モジュールの機能が無効にされ、
前記アンテナにより抽出された電力を用いて前記パッシブ型ＲＦＩＤ通信モジュールに電力が供給される、方法。
【請求項８】
好ましくは、前記バイオメトリック識別子の除去後、予め定められた時間後、または、前記ＲＦＩＤ読取装置へ前記データを伝達後に前記パッシブ型ＲＦＩＤ通信モジュールの機能を無効にすることをさらに含む、請求項７に記載の方法。
【請求項９】
前記バイオメトリック識別子が指紋であり、前記パッシブ型バイオメトリック認証モジュールがパッシブ型指紋認証モジュールである、請求項７または８に記載の方法。
【請求項１０】
前記ＲＦＩＤデバイスから伝達されるデータには少なくとも前記ＲＦＩＤデバイスの識別子または前記ＲＦＩＤデバイスのユーザの識別子が含まれる、請求項７、８または９に記載の方法。
【請求項１１】
前記識別子がアクセス制限領域にアクセスすることを許可されたユーザに関するものである、請求項１０に記載の方法。
【請求項１２】
前記機能を有効にすることが、前記アンテナからの電力を前記パッシブ型ＲＦＩＤ通信モジュールに供給するようにスイッチを駆動させることを含む、請求項６乃至１０のうちのいずれか一項に記載の方法。
【請求項１３】
前記バイオメトリック識別子の提示または確認の前に前記データへのアクセスが試みられた場合、前記ＲＦＩＤ通信モジュールの機能が無効になっているので前記データを提供しないことを含む、請求項７乃至１２のうちのいずれか一項に記載の方法。
【発明の詳細な説明】
【技術分野】
【０００１】
本発明はセキュリティで保護されたパッシブ型無線周波数識別（ＲＦＩＤ）デバイスに関するものである。
【背景技術】
【０００２】
図１には、従来のパッシブ型ＲＦＩＤデバイス２のアーキテクチャが示されている。電力が供給されているＲＦＩＤ読取装置４がアンテナ６を通じて信号を送信するようになっている。この信号は、ＮＸＰ  Ｓｅｍｉｃｏｎｄｕｃｔｏｒｓ社により製造されるＭＩＦＡＲＥＲシステムおよびＤＥＳＦｉｒｅＲシステムの場合は典型的には１３．５６ＭＨｚであるが、ＨＩＤ  Ｇｌｏｂａｌ  Ｃｏｒｐ社において製造される低周波ＰＲＯＸＲ製品の場合は１２５ｋＨｚであってもよい。また、この信号は、同調コイルとコンデンサとを有するＲＦＩＤデバイス２のアンテナ８により受信され、次いで、ＲＦＩＤチップ１０に送られる。受信された信号は、ブリッジ型整流器１２により整流され、整流器１２により出力されるＤＣ電力は制御回路１４に電力を供給するために用いられる。
【０００３】
制御回路１４からのデータ出力は電界効果トランジスタの如きトランジスタ１６に伝達され、トランジスタ１６はアンテナ８に並列に接続されている。電界効果トランジスタ１６のオン／オフを切り換えることにより、ＲＦＩＤデバイス２により信号を送信して、ＲＦＩＤ読取装置４の適切な制御回路１８により解読することができるようになっている。このタイプの信号方式は、バックスキャッタモジュレーション（ｂａｃｋｓｃａｔｔｅｒ  ｍｏｄｕｌａｔｉｏｎ）またはアクティブロードモジュレーション（ａｃｔｉｖｅ  ｌｏａｄ  ｍｏｄｕｌａｔｉｏｎ）として知られ、ＲＦＩＤ読取装置４がそれ自体への返信メッセージのための電力を供給するのに用いられるという特徴を有している。
【０００４】
制御回路１４は、少なくともパッシブ型ＲＦＩＤデバイス２の識別番号を格納し、典型的には変調された制御信号を生成するための集積回路を有している。また場合によっては、制御回路１４は読み出し専用であってもよいしまたは再書き込み可能であってもよい不揮発性メモリーをさらに有するようになっていてもよい。当該不揮発性メモリーは同じ機構により送信されうるさらなるデータを格納する。
【発明の概要】
【発明が解決しようとする課題】
【０００５】
一部のＲＦＩＤデバイス２には、識別番号、またはチップ１０に格納される個人情報、たとえばＲＦＩＤデバイス２の所有者についての情報を保護するための精巧な暗号化を有するＲＦＩＤチップ１０が用いられるようになっている。これらのＲＦＩＤチップ１０は一般的に「安全チップ」または場合によっては「支払いチップ」と呼ばれる。しかしながら、ほとんどのＲＦＩＤデバイス２では、暗号化を用いず、暗号化せずに識別番号を読取装置６へ送るようになっている単純なチップ１０が用いられている。典型的には、これらのデバイスは、始動して励起場から十分な電力を抽出すると自動的に識別子を放送し始める。このようなデバイス２は、一般的に、たとえば動物のタグ付け、ユーザＩＤ、建物へのアクセスなどの低セキュリティ用途において用いられている。これらのデバイスからのメッセージは無許可の第三者により容易に傍受される恐れがある。
【０００６】
１つの例示的な状況では、提示された時に保護領域へのアクセスを許可する識別子をアクセス制御カードが含んでいる。このアクセス制御カードは、暗号化を用いていないのでスニッファを用いた攻撃（カードの内容の無許可で読み取ることに対して一般的に用いられる表現）を受けやすくなっている。スニッファを用いた攻撃では、攻撃者は公共の場所でＲＦＩＤ読取装置を隠し持ってこのアクセス制御カードの保持者に接近する。隠し持ったＲＦＩＤ読取装置がＲＦＩＤデバイスの近くに接近すると、ＲＦＩＤチップが作動し、ＲＦＩＤ読取装置はＲＦＩＤチップの内容を読むことができる。ＲＦＩＤチップ内の識別子が明らかになると、攻撃者はアクセス制御カードのコピーを作成することができる。このことにより、アクセス制御カードのコピーを用いて保護領域に無許可でアクセスすることが可能となる。
【０００７】
この単純なチップ１０の欠点についてはメディアにより大きく報告されており、一般の人達も銀行カードに用いられているタイプの安全チップ１０についても同じような欠点を有しているのではないかと考えている。
【０００８】
少なくとも本発明の好ましい実施形態では、スニッファを用いた攻撃を防ぐためにＲＦＩＤデバイスのセキュリティを向上させることを目的としている。
【課題を解決するための手段】
【０００９】
本発明の第一の態様によれば、ＲＦＩＤデバイスは、アンテナと、暗号化を用いることなくデータをアンテナを通じてＲＦＩＤ読取装置へ送信するように構成されるパッシブ型ＲＦＩＤ通信モジュールと、ＲＦＩＤデバイスのユーザを識別するように構成されるパッシブ型バイオメトリック認証モジュールとを備え、ＲＦＩＤデバイスがパッシブ型ＲＦＩＤ通信モジュールとパッシブ型バイオメトリック認証モジュールとの両方にアンテナを用いて抽出された電力により電力が供給されるように構成され、パッシブ型バイオメトリック認証モジュールがユーザの識別情報を確認するまでアンテナから十分な電力がパッシブ型ＲＦＩＤ通信モジュールに到達するのを妨ぐことによりパッシブ型ＲＦＩＤ通信モジュールが動作不能にされるようにＲＦＩＤデバイスが構成されている。
【００１０】
かかるＲＦＩＤデバイスは上述のタイプのスニッファを用いた攻撃に対して強い。というのは、かかるＲＦＩＤは承認されているバイオメトリック識別子が提示されるまでそのデータを安全に保持するようになっているからである。このことは、まずバイオメトリック認証モジュールのみに電力を供給し、有効なバイオメトリック識別子が提示されるまでかかるＲＦＩＤデバイスのＲＦＩＤ通信モジュールに電力を供給しないままにして、認可されたユーザの認知および承諾なしにデバイスにアクセスすることができないことを担保することにより達成される。ＲＦＩＤ通信モジュールはいったん機能が有効になったならばＲＦＩＤ読取装置にその識別番号を送信することができる。
【００１１】
本発明は暗号化を使用しないタイプのＲＦＩＤデバイスにとくに適用可能である。というのは、このようなデバイスは本来スニッファを用いた攻撃に対して弱く、暗号化を使用するＲＦＩＤデバイスはそのような攻撃から自分自身を守る他の手段を有しているからである。すなわち、暗号化を使用しないタイプのＲＦＩＤデバイスはＲＦＩＤデバイスのクローンの作製を可能とする十分なデータを送信してしまうからである。当該データは、たとえばカードまたはカードのユーザに関する（バイオメトリック識別子とは異なる）識別子（数値識別子）でありうる。
【００１２】
バイオメトリック保護が組み込まれているＲＦＩＤデバイスは公知技術であるが、このようなシステムは、以前から、バイオメトリック認証と平行してＲＦＩＤ通信モジュールによるデータの送信が行われてきた。したがって、このようなシステムは依然としてスニッファを用いて攻撃される場合がある。というのは、バイオメトリック認証の前またはバイオメトリック認証情報（肯定または否定）と一緒にカード識別子が依然として送信されているからである。システムによっては、バイオメトリクデータがＲＦＩＤ読取装置において処理されるためＲＦＩＤチップが認証が成功したか否かを示す情報を受け取らないようになっている場合もある。しかしながら、上述のデバイスでは、バイオメトリクデータはバイオメトリック認証モジュールにおいて認証されるようになっている。
【００１３】
好ましくは、かかるＲＦＩＤデバイスＲＦＩＤアクセスデバイスである。すなわち、データは、アクセス制限領域にアクセスすることを許可されたユーザに関するものである。したがって、ＲＦＩＤデバイスのクローンが作製された場合、無認証の人がデータを用いてアクセス制限領域にアクセスすることが可能となってしまう。
【００１４】
好ましくは、バイオメトリック認証モジュールは指紋認証モジュールである。好ましくは、指紋認証モジュールは、指紋スキャナと、基準指紋を格納しているメモリーとを備え、指紋認証モジュールは、指紋スキャナにより走査された指紋をメモリー内に格納されている指紋と比較することによりユーザの本人確認をおこなう。いうまでもなく、これに代えて、他の形態のバイオメトリック認証、たとえばＥＫＧが用いられてもよい。
【００１５】
かかるＲＦＩＤデバイスはスイッチを備えていてもよい。バイオメトリック認証モジュールによりスイッチを駆動させることによりＲＦＩＤ通信モジュールが動作不能または動作可能にされる。
【００１６】
スイッチをアンテナと並列に接続してスイッチを閉じることによりアンテナを短絡させ、ＲＦＩＤ通信モジュールの機能を無効にするようになっていてもよいし、または、スイッチをＲＦＩＤ通信モジュールと直列に接続してスイッチを開くことによりＲＦＩＤ通信モジュールの機能を無効にするようになっていてもよい。
【００１７】
本発明の他の態様によれば、アンテナ、パッシブ型ＲＦＩＤ通信モジュールおよびパッシブ型バイオメトリック認証モジュールを備えるＲＦＩＤデバイスを使用する方法は、ＲＦＩＤデバイスにバイオメトリック識別子を提示することと、アンテナにより抽出された電力を用いてパッシブ型バイオメトリック認証モジュールに電力を供給することと、バイオメトリック認証モジュールによりバイオメトリック識別子を確認することと、バイオメトリック識別子の確認がなされると、アンテナからの電力をパッシブ型ＲＦＩＤ通信モジュールに提供することによりパッシブ型ＲＦＩＤ通信モジュールの機能を有効にすることと、機能が有効にされたパッシブ型ＲＦＩＤ通信モジュールにより未暗号化状態のデータをＲＦＩＤデバイスからＲＦＩＤ読取装置へと伝達することとを含み、バイオメトリック認証モジュールによるバイオメトリック識別子の確認がなされるまでＲＦＩＤ通信モジュールの機能が無効にされ、パッシブ型ＲＦＩＤ通信モジュールがアンテナにより抽出された電力を用いて電力が供給される。
【００１８】
好ましくは、かかる方法は、バイオメトリック識別子の除去後、前もって決められた時間後、または、ＲＦＩＤ読取装置へデータを伝達後、パッシブ型ＲＦＩＤ通信モジュールの機能を無効にすることをさらに含む。
【００１９】
バイオメトリック識別子は指紋であることが好ましいので、バイオメトリック認証モジュールは指紋認証モジュールであってもよい。
【００２０】
好ましくは、ＲＦＩＤデバイスから伝達されるデータは少なくともＲＦＩＤデバイスの識別子またはＲＦＩＤデバイスのユーザの識別子を含む。識別子は、制限領域にアクセスすることを許可されたユーザに関するものであってもよい。したがって、かかる方法によれば、ユーザがＲＦＩＤデバイスに対して本人確認の証明をするまで識別子が送信されることは決してない。したがって、公共領域において識別子を「盗聴」することはできず、無許可の人による制限領域へのアクセスは可能ではない。
【００２１】
好ましくは、機能を有効にすることは、ＲＦＩＤデバイスのアンテナからの電力をＲＦＩＤ通信モジュールに供給するようにスイッチを駆動させることを含む。
【００２２】
好ましくは、かかる方法は、バイオメトリック識別子の確認がなされる前にデータへのアクセスが試みられた場合、ＲＦＩＤ通信モジュールの機能が無効になっているのでデータを提供しないことを含む、
以下には、本発明の好ましい実施形態が例示のみを意図して添付の図面を参照しながら詳細に説明されている。
【図面の簡単な説明】
【００２３】
【図１】従来のパッシブ型ＲＦＩＤデバイス用回路を示す図である。
【図２】指紋スキャナが組み込まれたパッシブ型ＲＦＩＤデバイス用回路を示す図である。
【図３】図２の回路が組み込まれたスマートカードを示す図である。
【発明を実施するための形態】
【００２４】
図２には、ＲＦＩＤ読取装置１０４および図１に記載の従来のパッシブ型ＲＦＩＤデバイス２の変形であるパッシブ型ＲＦＩＤデバイス１０２からなるアーキテクチャが示されている。図２に示されているＲＦＩＤデバイス１０２は、有効な指紋が提示されなければＲＦＩＤチップ１１０の機能を無効にする指紋認証エンジン１２０を備えるように構成されている。好ましくは、パッシブ型ＲＦＩＤデバイス１０２は、図３に例示されているラミネート加工されたスマートカードとして具象化される。ラミネート加工された本体１４０は、図２のパッシブ型ＲＦＩＤデバイス用回路を構成するコンポーネントすべてを包み込んでいる。ラミネート加工された本体１４０は、幅が８６ｍｍ、高さが５４ｍｍ、厚みが０．７６ｍｍである。ただし、厚みについては指紋認証エンジン１２０を収容するために大きくされてもよい。より一般的にいえば、パッシブ型ＲＦＩＤデバイス１０２はスマートカードの仕様であるＩＳＯ７８１６に準拠するようになっていてもよい。
【００２５】
ＲＦＩＤ読取装置１０４は、従来のＲＦＩＤ読取装置であり、読取装置アンテナ１０６を用いてＲＦ励起場を生成するように構成されている。また、読取装置アンテナ１０６は、パッシブ型ＲＦＩＤデバイス１０２から送られて来るＲＦ信号をさらに受信するようになっており、受信されたＲＦ信号はＲＦＩＤ読取装置１０４内の制御回路１１８により解読されるようになっている。
【００２６】
パッシブ型ＲＦＩＤデバイス１０２は、ＲＦ（無線周波数）信号を受信するためのアンテナ１０８と、アンテナ１０８により電力が供給されるパッシブ型ＲＦＩＤチップ１１０と、アンテナにより電力が供給されるパッシブ型指紋認証エンジン１２０とを備えている。
【００２７】
本明細書で用いられる場合、用語「パッシブ型ＲＦＩＤデバイス」とは、たとえばＲＦＩＤ読取装置１１８により生成されるＲＦ励起場から抽出されるエネルギのみにより電力がＲＦＩＤチップ１０に供給されるようになっているＲＦＩＤデバイス１０２のことを意味するものとして理解されるべきである。すなわち、パッシブ型ＲＦＩＤデバイス１０２は放送のための電力の供給をＲＦＩＤ読取り装置１１８に依存している。パッシブ型ＲＦＩＤデバイス１０２は通常バッテリーを備えていない。ただし、パッシブ型ＲＦＩＤデバイス用回路の補助コンポーネントに電力を供給するためのバッテリー（しかし放送用のバッテリではない）が設けられている場合もある。このようなデバイスは「半パッシブ型ＲＦＩＤデバイス」と呼ばれることが多い。
【００２８】
同様に、用語「パッシブ型指紋／バイオメトリック認証エンジン」は、たとえばＲＦＩＤ読取装置１１８により生成されるＲＦ励起場から抽出されるエネルギのみにより電力が供給されるようになっている指紋／バイオメトリック認証エンジンのことを意味するものとして理解されるべきである。
【００２９】
この構成では、アンテナ１０８は、ＲＦＩＤ読取装置１０４からＲＦ信号を受信するように同調されるインダクションコイルとコンデンサとを有する同調回路である。ＲＦＩＤ読取装置１０４により生成される励起場にさらされると、アンテナ１０８には電圧が誘発される。
【００３０】
アンテナ１０８は当該アンテナ１０８の各端部に１つずつ、したがって１対の端子を構成する第一の端部出力ライン１２２と第二の端部出力ライン１２４とを有している。アンテナ１０８の出力ライン１２２、１２４は指紋認証エンジン１２０に接続されて指紋認証エンジン１２０へ電力を供給する。この構成では、アンテナ１０８により受け取られるＡＣ電圧を整流するための整流器１２６が設けられている。整流後のＤＣ電圧は、平滑コンデンサ１２７を用いて平滑化され、指紋認証エンジン１２０へと供給される。
【００３１】
したがって本実施形態では、指紋認証エンジン１２０は、パッシブ型であるので、アンテナ１０８からの電圧出力のみにより電力が供給されるようになっている。
【００３２】
指紋認証エンジン１２０は、処理ユニット１２８と、指紋読取装置１３０とを有している。指紋読取装置１３０はエリア型指紋読取装置１３０であることが好ましい。エリア型指紋センサ（ａｒｅａ  ｆｉｎｇｅｒｐｒｉｎｔ  ｓｅｎｓｏｒ）１３０でありうる指紋認証エンジン１２０の指紋センサ１３０は、図３に記載のようなラミネート加工されたカード本体１４０から露出するように配置される。処理ユニット１２８は、バイオメトリック照合を合理的時間内に行なうことができるように低電力でかつ高速で動作するように選択されるマイクロプロセッサを有している。
【００３３】
指紋認証エンジン１２０は、指紋読取装置１３０に提示される指または親指を走査し、走査された指または親指の指紋を前もって格納されている指紋データと処理ユニット１２８を用いて比較するように構成されている。次いで、走査された指紋が前もって格納されている指紋データと一致するか否かが判断される。好ましい実施形態では、指紋イメージを取り込み、登録された指を正確に認識するのに必要な時間は１秒未満である。カードは、ラミネート加工されたカード本体１４０内に埋め込まれたＬＥＤ１３６、１３８の如き適切な表示器を用いて認証の成功を示すようになっていてもよい。
【００３４】
一致すると判断されると、ＲＦＩＤ読取装置１０４に信号を送信することができるようにＲＦＩＤチップ１１０の機能が有効にされる。図２に記載の構成では、このことは、アンテナ１０８とＲＦＩＤチップ１１０との間に直列に配置されているスイッチ１３２を閉じてＲＦＩＤチップ１１０をアンテナ１０８に接続させることにより達成されるようになっている。指紋認証エンジン１２０は、指紋の確認から前もって決められた時間、たとえば指紋が確認されてから５秒間にわたってＲＦＩＤチップ１１０の機能を有効にするにスイッチ１３２への信号を維持するように構成されている。また、他の実施形態では、指がエンジン１２０に積極的に提示されている間だけ維持されるようになっていてもよい。すなわち、指が除去されると直ちにＲＦＩＤチップ１１０の機能が無効にされるようになっていてもよい。他の実施形態では、パッシブ型ＲＦＩＤデバイスデバイス１０２は、ＲＦＩＤ読取装置１０４との通信が終了するまでＲＦＩＤチップ１１０の機能が有効にされ続けるように構成されていてもよい。
【００３５】
ＲＦＩＤチップ１１０は、従来のタイプであり、図１に記載のＲＦＩＤチップ１０と同様に動作し、トランジスタ１１６のオンおよびオフを切り換えることによりバックスキャッタモジュレーションまたはアクティブロードモジュレーションを用いてアンテナ１０８を介して信号を放送（ｂｒｏａｄｃａｓｔ）するようになっている。ＲＦＩＤチップ１１０は、少なくともマイクロプロセッサとメモリーとを有する制御回路１１４を備えている。メモリーは、少なくともパッシブ型ＲＦＩＤデバイス１０２またはパッシブ型ＲＦＩＤデバイス１０２のユーザの固有の識別子を格納するようになっている。
【００３６】
本構成では、ＲＦＩＤチップ１１０および指紋認証エンジン１２０のための電力は、ＲＦＩＤ読取装置１０４により生成される励起場から抽出されるようになっている。すなわち、パッシブ型ＲＦＩＤデバイス１０２は、パッシブ型ＲＦＩＤデバイスであるので、バッテリーを有しておらず、それに代えて、基本的なＲＦＩＤデバイス２と同様に読取装置１０４から抽出される電力を用いるようになっている。
【００３７】
第二のブリッジ型整流器１２６からの整流された出力を用いて指紋認証エンジン１２０に電力が供給される。しかしながら、これに必要な電力は、正常なＲＦＩＤデバイス２のコンポーネントの電力の需要と比較して比較的大きい。ＲＦＩＤ読取装置１０４の励起場から抽出された電力を用いていくつかの指紋読取装置１３０に電力を供給するためにＲＦＩＤ読取装置１０４から十分なエネルギを引き出すには特別な設計上の考慮が必要であると考えられる。ＷＯ２０１６／０５５６６３には、ＲＦＩＤ読取装置１０４から大きな電力を抽出する方法が開示されている。
【００３８】
パッシブ型ＲＦＩＤデバイス１０２の使用に先立って、パッシブ型ＲＦＩＤデバイス１０２のユーザは「未使用」のパッシブ型ＲＦＩＤデバイス１０２に自分自身を登録しなければならない。登録後、パッシブ型ＲＦＩＤデバイス１０２は当該ユーザのみに応答するようになる。いったん登録され、適切な指紋が提示されれば、パッシブ型ＲＦＩＤデバイス１０２は、処理量に応じて、ＰＩＮを用いることなく非接触式に動作するようになっていてもよいし、または、ＰＩＮのみを用いて動作するようになっていてもよい。
【図１】
2018529155.tif 000003
【図２】
2018529155.tif 000004
【図３】
2018529155.tif 000005
【国際調査報告】
2018529155.tif 000006
2018529155.tif 000007